(57)【要約】  デジタルビデオブロードキャスト（ＤＶＢ）システムにおける通知メッセージを送受信する装置及び方法を提供する。端末は、電子サービスガイド（ＥＳＧ）ブートストラップセッションからアクセスポイント（ＡＰ）を検出し、通信チャネルを介して上記アクセスポイントに通知メッセージリスト又は通知メッセージの全体又は一部の要請をクエリーし、上記通知メッセージリスト又は上記通知メッセージの全体又は一部を上記アクセスポイントから受信する。【選択図】図１
2011515890.tif 000002
【特許請求の範囲】
【請求項１】
デジタルビデオブロードキャスト（ＤＶＢ）システムにおける端末が通知メッセージを受信する方法であって、
電子サービスガイド（ＥＳＧ）ブートストラップセッションからアクセスポイント（ＡＰ）を検出するステップと、
通信チャネルを介して通知メッセージリスト又は通知メッセージの全体又は一部を要請するために前記アクセスポイントをクエリーするステップと、
前記通知メッセージリスト又は前記通知メッセージの全体又は一部を前記アクセスポイントから受信するステップと、を有することを特徴とする通知メッセージを受信する方法。
【請求項２】
前記アクセスポイントを検出するステップは、前記電子サービスガイドブートストラップセッションからデフォルト通知メッセージをブロードキャストするためのサーバのアクセスポイントを検出するステップを有することを特徴とする請求項１に記載の通知メッセージを受信する方法。
【請求項３】
前記アクセスポイントを検出するステップは、プラットホームデフォルト通知（ＰＤＮ）メッセージを送信するサーバのアクセスポイント及び電子サービスガイドデフォルト通知（ＥＤＮ）メッセージを送信するサーバのアクセスポイントの中の１つを検出するステップを有することを特徴とする請求項２に記載の通知メッセージを受信する方法。
【請求項４】
前記アクセスポイントを検出するステップは、
サービス関連通知（ＳＲＮ）メッセージに加入するステップと、
前記サービス関連通知メッセージを前記電子サービスガイドブートストラップセッションを介して購入するステップと、
前記サービス関連通知メッセージを送信するサーバのアクセスポイントを検出するステップと、を有することを特徴とする請求項１に記載の通知メッセージを受信する方法。
【請求項５】
前記アクセスポイントを検出するステップは、プラットホームデフォルト通知（ＰＤＮ）メッセージを送信するサーバのアクセスポイント及び電子サービスガイドデフォルト通知（ＥＤＮ）メッセージを送信するサーバのアクセスポイントの中の１つを検出するステップを有することを特徴とする請求項４に記載の通知メッセージを受信する方法。
【請求項６】
前記通知メッセージの送信モードを確認するステップを更に有することを特徴とする請求項５に記載の通知メッセージを受信する方法。
【請求項７】
前記送信モードは、前記サーバが前記アクセスポイントを前記端末に知らせるプッシュモード及び前記端末が前記アクセスポイントに関するクエリーを前記サーバに送信して前記アクセスポイントに関する情報を前記サーバから受信するプルモードの中の１つであることを特徴とする請求項６に記載の通知メッセージを受信する方法。
【請求項８】
前記サーバに関するバージョン情報を検出するステップを更に有することを特徴とする請求項５に記載の通知メッセージを受信する方法。
【請求項９】
前記アクセスポイントをクエリーするステップは、送信されるメッセージのタイプ、通知メッセージのタイプ、及びメッセージ識別子（ＩＤ）の中の少なくとも１つを含むクエリーフォーマットを用いて前記アクセスポイントをクエリーするステップを有することを特徴とする請求項１に記載の通知メッセージを受信する方法。
【請求項１０】
前記アクセスポイントをクエリーするステップは、サーバから送信されたか又は送信される通知メッセージのリストを要請するステップを有することを特徴とする請求項１に記載の通知メッセージを受信する方法。
【請求項１１】
前記アクセスポイントをクエリーするステップは、開始時間及び終了時間により定義される所定の期間の間に前記サーバから送信された通知メッセージのリストを要請するステップを有することを特徴とする請求項１０に記載の通知メッセージを受信する方法。
【請求項１２】
前記アクセスポイントをクエリーするステップは、前記メッセージ識別子を用いて前記通知メッセージの一部の送信を要請するステップを有することを特徴とする請求項９に記載の通知メッセージを受信する方法。
【請求項１３】
前記アクセスポイントをクエリーするステップは、前記メッセージ識別子を用いてエラーがある通知メッセージの一部の再送信を要請するステップを有することを特徴とする請求項１２に記載の通知メッセージを受信する方法。
【請求項１４】
前記アクセスポイントをクエリーするステップは、通知メッセージに関する初期情報を要請するか、又は前記通知メッセージに関する初期情報を送信するサーバのアドレス値を要請するステップを有することを特徴とする請求項１に記載の通知メッセージを受信する方法。
【請求項１５】
前記アクセスポイントをクエリーするステップは、ブロードキャストネットワークを介して送信されるデフォルト通知メッセージの送信をインタラクティブネットワークを介して要請するステップを有することを特徴とする請求項１に記載の通知メッセージを受信する方法。
【請求項１６】
前記アクセスポイントをクエリーするステップは、サービス識別子を含むクエリーフォーマットを用いて前記通知メッセージリスト又は前記通知メッセージの全体又は一部の要請について前記アクセスポイントにクエリーするステップを有することを特徴とする請求項９に記載の通知メッセージを受信する方法。
【請求項１７】
デジタルビデオブロードキャスト（ＤＶＢ）システムにおけるサーバが通知メッセージを送信する方法であって、
アクセスポイント（ＡＰ）に関する情報を含む電子サービスガイド（ＥＳＧ）ブートストラップセッションを端末に送信するステップと、
通知メッセージリスト又は通知メッセージの全体又は一部を要請するクエリーを通信チャネルを介して前記端末から受信するステップと、
前記通知メッセージリスト又は前記通知メッセージの全体又は一部を前記端末に送信するステップと、を有することを特徴とする通知メッセージを送信する方法。
【請求項１８】
前記通知メッセージリスト又は前記通知メッセージの全体又は一部を送信するステップは、前記通知メッセージリスト又は前記通知メッセージの全体又は一部を通信チャネルを介して前記端末に送信するステップを有することを特徴とする請求項１７に記載の通知メッセージを送信する方法。
【請求項１９】
前記通知メッセージリスト又は前記通知メッセージの全体又は一部を送信するステップは、前記通知メッセージリスト又は前記通知メッセージの全体又は一部をブロードキャストチャネルを介して前記端末に送信するステップを有することを特徴とする請求項１７に記載の通知メッセージを送信する方法。
【請求項２０】
前記通知メッセージリスト又は前記通知メッセージの全体又は一部を送信するステップは、通信チャネルを介した通知メッセージの送信を示す情報、前記通知メッセージのメッセージ識別子（ＩＤｓ）、及び前記通知メッセージのバージョン情報の中の少なくとも１つを含む通知メッセージリストを前記端末に送信するステップを有することを特徴とする請求項１７に記載の通知メッセージを送信する方法。
【請求項２１】
前記通知メッセージリスト又は前記通知メッセージの全体又は一部を送信するステップは、前記通知メッセージリストを複数のサブリストに分割して該サブリストを前記端末に送信するステップを有することを特徴とする請求項２０に記載の通知メッセージを送信する方法。
【請求項２２】
前記通知メッセージリスト又は前記通知メッセージの全体又は一部を送信するステップは、開始時間及び終了時間により定義される所定の期間の間に送信されたか又は送信される通知メッセージの端末クエリーリストを前記端末に送信するステップを有することを特徴とする請求項２１に記載の通知メッセージを送信する方法。
【請求項２３】
前記通知メッセージリスト又は前記通知メッセージの全体又は一部を送信するステップは、前記端末によって加入及び購入がなされたサービス関連通知（ＳＲＮ）メッセージに関する価格及び購入情報を含む通知メッセージを前記端末に送信するステップを有することを特徴とする請求項２２に記載の通知メッセージを送信する方法。
【請求項２４】
デジタルビデオブロードキャスト（ＤＶＢ）システムにおける通知メッセージを送受信するシステムであって、
アクセスポイント（ＡＰ）に関する情報を含む電子サービスガイド（ＥＳＧ）ブートストラップセッションを端末に送信し、通知メッセージリスト又は通知メッセージの全体又は一部を要請するクエリーを前記端末から受信するサーバと、
前記クエリーした通知メッセージリスト又は前記通知メッセージの全体又は一部を前記アクセスポイントから受信する前記端末と、
前記クエリー及び前記クエリーした通知メッセージリスト又は前記通知メッセージの全体又は一部を通信チャネル及びブロードキャストチャネルの中の１つを介して送受信するネットワークと、を備えることを特徴とする通知メッセージを送受信するシステム。
【請求項２５】
前記ネットワークは、前記ブロードキャストチャネルを送受信するブロードキャストネットワーク及び前記通信チャネルを送受信するインタラクティブネットワークの中の１つを含むことを特徴とする請求項２４に記載の通知メッセージを送受信するシステム。
【請求項２６】
前記サーバは、前記通信チャネルを介した通知メッセージの送信を示す情報、前記通知メッセージのメッセージ識別子（ＩＤｓ）、及び前記通知メッセージのバージョン情報の中の少なくとも１つを含む通知メッセージを前記端末に送信することを特徴とする請求項２４に記載の通知メッセージを送受信するシステム。
【請求項２７】
前記サーバは、前記通知メッセージリストを複数のサブリストに分割して該サブリストを前記端末に送信することを特徴とする請求項２６に記載の通知メッセージ送受信するシステム。
【請求項２８】
前記サーバは、開始時間及び終了時間により定義される所定の期間の間に送信されたか又は送信される通知メッセージのリストを前記端末に送信することを特徴とする請求項２７に記載の通知メッセージを送受信するシステム。
【請求項２９】
前記サーバは、開始時間及び終了時間により定義される所定の期間の間に送信されたか又は送信される通知メッセージの端末クエリーリストを前記端末に送信することを特徴とする請求項２８に記載の通知メッセージを送受信するシステム。
【請求項３０】
前記サーバは、前記端末によって加入及び購入がなされたサービス関連通知（ＳＲＮ）メッセージに関する価格及び購入情報を含む通知メッセージを前記端末に送信することを特徴とする請求項２９に記載の通知メッセージを送受信するシステム。
【請求項３１】
前記端末は、前記電子サービスガイドブートストラップセッションからブロードキャストチャネルを介してデフォルト通知メッセージを送信するサーバのアクセスポイントを検出することを特徴とする請求項２４に記載の通知メッセージを送受信するシステム。
【請求項３２】
前記端末は、プラットホームデフォルト通知（ＰＤＮ）メッセージを送信するサーバのアクセスポイント及び電子サービスガイドプロバイダーデフォルト通知（ＥＤＮ）メッセージを送信するサーバのアクセスポイントの中の１つを検出することを特徴とする請求項３１に記載の通知メッセージを送受信するシステム。
【請求項３３】
前記端末は、前記電子サービスガイドブートストラップセッションを介しサービス関連通知（ＳＲＮ）メッセージに加入して前記サービス関連通知メッセージを購入し、該サービス関連通知メッセージを送信するサーバのアクセスポイントを検出することを特徴とする請求項２４に記載の通知メッセージを送受信するシステム。
【請求項３４】
前記端末は、プラットホームデフォルト通知（ＰＤＮ）メッセージを送信するサーバのアクセスポイント及び電子サービスガイドプロバイダーデフォルト通知（ＥＤＮ）メッセージを送信するサーバのアクセスポイントの中の１つを検出することを特徴とする請求項３３に記載の通知メッセージを送受信するシステム。
【請求項３５】
前記端末は、前記通知メッセージの送信モードを確認することを特徴とする請求項３４に記載の通知メッセージを送受信するシステム。
【請求項３６】
前記送信モードは、前記サーバが前記アクセスポイントを前記端末に知らせるプッシュモード及び前記端末が前記アクセスポイントに関するクエリーを前記サーバに送信して前記アクセスポイントに関する情報を前記サーバから受信するプルモードの中の１つであることを特徴とする請求項３５に記載の通知メッセージを送受信するシステム。
【請求項３７】
前記端末は、前記サーバに関するバージョン情報を確認することを特徴とする請求項３４に記載の通知メッセージを送受信するシステム。
【請求項３８】
前記端末は、送信されるメッセージのタイプ、通知メッセージのタイプ、及びメッセージ識別子（ＩＤ）の中の少なくとも１つを含むクエリーフォーマットによって前記アクセスポイントをクエリーすることを特徴とする請求項２４に記載の通知メッセージを送受信するシステム。
【請求項３９】
前記端末は、前記サーバから送信されたか又は送信される通知メッセージのリストを要請することを特徴とする請求項３８に記載の通知メッセージを送受信するシステム。
【請求項４０】
前記端末は、開始時間及び終了時間で定義される所定の期間の間に前記サーバから送信された通知メッセージのリストを要請することを特徴とする請求項３９に記載の通知メッセージを送受信するシステム。
【請求項４１】
前記端末は、前記メッセージ識別子を用いて前記通知メッセージの一部の送信についてクエリーすることを特徴とする請求項３８に記載の通知メッセージを送受信するシステム。
【請求項４２】
前記端末は、前記メッセージ識別子を用いて送信エラーを有する通知メッセージの一部の再送信を要請することを特徴とする請求項４１に記載の通知メッセージを送受信するシステム。
【請求項４３】
前記端末は、通知メッセージに関する初期情報及び前記通知メッセージに関する初期情報を送信するサーバのアドレス値についてクエリーすることを特徴とする請求項４２に記載の通知メッセージを送受信するシステム。
【請求項４４】
前記端末は、ブロードキャストネットワークを介して送信されるデフォルト通知メッセージの送信についてインタラクティブネットワークを介してクエリーすることを特徴とする請求項２４に記載の通知メッセージを送受信するシステム。
【請求項４５】
前記端末は、サービス識別子を含むクエリーフォーマットにより前記通知メッセージリスト又は前記通知メッセージの全体又は一部の要請についてクエリーすることを特徴とする請求項４４に記載の通知メッセージを送受信するシステム。
【請求項４６】
前記端末は、
前記電子サービスガイドブートストラップセッションを受信する電子サービスガイド受信部と、
前記受信した電子サービスガイドブートストラップセッションから前記アクセスポイントに関する情報を取得する電子サービスガイド解釈部と、
前記通知メッセージリスト又は前記通知メッセージの全体又は一部の送信を要請するクエリー要請送信部と、
前記要請した通知メッセージリスト又は前記通知メッセージの全体又は一部を受信する通知メッセージ受信部と、
前記通知メッセージリスト又は前記通知メッセージの全体又は一部が前記通知メッセージリスト又は前記通知メッセージの全体又は一部を解釈することによりエラーを有するか否かを判定し、前記通知メッセージリスト又は前記通知メッセージの全体又は一部の再送信を要請する通知メッセージ解釈部と、を有することを特徴とする特徴とする請求項２４に記載の通知メッセージを送受信するシステム。
【請求項４７】
前記サーバは、
前記アクセスポイントに関する情報を含む電子サービスガイドブートストラップセッションを生成する電子サービスガイド生成部と、
前記電子サービスガイドブートストラップセッションを送信する電子サービスガイド送信部と、
前記通知メッセージリスト又は前記通知メッセージの全体又は一部の要請に関するクエリーを前記端末から受信するクエリー受信部と、
前記受信したクエリーに従って前記通知メッセージリスト又は前記通知メッセージの全体又は一部を生成する通知メッセージ生成部と、
前記通知メッセージリスト又は前記通知メッセージの全体又は一部を前記端末に送信する通知メッセージ送信部と、を有することを特徴とする請求項２４に記載の通知メッセージを送受信するシステム。
【発明の詳細な説明】
【技術分野】
【０００１】
本発明は、デジタルビデオブロードキャストシステムにおける通知メッセージを送受信する装置及び方法に関し、特に、デジタルビデオブロードキャストシステムにおける通信チャネルを介して通知メッセージを送受信する装置及び方法に関する。
【背景技術】
【０００２】
デジタルビデオブロードキャスト（Ｄｉｇｉｔａｌ  Ｖｉｄｅｏ  Ｂｒｏａｄｃａｓｔｉｎｇ：以下、“ＤＶＢ”と称する。）システムは、ヨーロッパのデジタルブロードキャスト技術であり、既存のデジタルブロードキャストだけでなく、移動用及び携帯用デジタルマルチメディアサービスをサポートするための送信規格をサポートする。
【０００３】
ＤＶＢシステムは、ＭＰＥＧ２（Ｍｏｖｉｎｇ  Ｐｉｃｔｕｒｅ  Ｅｘｐｅｒｔｓ  Ｇｒｏｕｐ−２）転送ストリーム基盤のブロードキャストデータを多重化し、インターネットプロトコル（Ｉｎｔｅｒｎｅｔ  Ｐｒｏｔｏｃｏｌ：以下、“ＩＰ”と称する。）基盤のデータストリームを同時に送信することができる。また、ＤＶＢシステムは、１つのＩＰストリームで多重化されたデータを様々なサービスから送信することができる。従って、ＤＶＢシステムをサポートする端末は、このＩＰストリームを受信した後に、このＩＰストリームを個別サービスのデータに逆多重化し、このサービスデータを復調し、この復調されたサービスデータを画面でユーザに出力する。
【０００４】
ＤＶＢのためのサービスには、様々な形態が存在し得、このサービスの中の１つが通知メッセージの送信である。通知メッセージには、緊急メッセージ、新規サービス通知メッセージ、株式相場表示（ｓｔｏｃｋ  ｔｉｃｋｅｒ）メッセージ、天気メッセージなどがある。
【０００５】
一方、この通知メッセージは、全ての端末がネットワーク、電子サービスガイド（Ｅｌｅｃｔｒｏｎｉｃ  Ｓｅｒｖｉｃｅ  Ｇｕｉｄｅ：以下、“ＥＳＧ”と称する。）プロバイダー、又はプラットホームプロバイダーに別途の登録手順なしに一般に受信するデフォルト通知メッセージ（ｄｅｆａｕｌｔ  ｎｏｔｉｆｉｃａｔｉｏｎ  ｍｅｓｓａｇｅ）を含む。
【０００６】
また、この通知メッセージは、端末が加入及び購入手続きの後に受信することができるサービス関連通知（Ｓｅｒｖｉｃｅ−Ｒｅｌａｔｅｄ  Ｎｏｔｉｆｉｃａｔｉｏｎ：以下、“ＳＲＮ”と称する。）メッセージを含む。他の一般サービスと同様に、ＳＲＮに関する情報は、ＥＳＧ内で運搬される。即ち、ＳＲＮメッセージがＥＳＧ内に存在する場合に、ＳＲＮに接続されているサービス、対応するサービスのコンテンツに関する情報、及びＳＲＮを受信するために必要なセッション情報がＥＳＧに含まれている。
【０００７】
従って、端末ユーザは、受信したＥＳＧを介して所望の通知メッセージを見つけることができる。他のサービスの場合と同様に、ユーザは、購入手順を介して対応する通知メッセージを購入することができる。
【０００８】
また、通知メッセージは、独立型（スタンドアロン）通知サービスの形態をとることができる。即ち、通知メッセージ自体は、他の一般サービスに接続されている通知メッセージではないサービスとして定義される。この場合、各通知メッセージは、メッセージＩＤ（ＭｅｓｓａｇｅＩＤ）ではなくサービス識別子（ＳｅｒｖｉｃｅＩＤ）で識別される。
【０００９】
現在、ブロードキャストチャネルを介した通知メッセージの加入及び受信だけが定義されており、通信チャネルを介した通知メッセージの送信についてはまだ定義されていない。
【００１０】
例示的な通知メッセージは、“加入サービスの開始時間の通知”のための通知メッセージである。これは、予め対応するサービス購入者にブロードキャストサービスの開始時間を通知することにより、ブロードキャストサービスを受信することができるようにする。
【００１１】
しかしながら、この通知メッセージがブロードキャストチャネルを介して送信される際にこのサービス購入者の端末がこのブロードキャストサービスに接続されていない場合には、端末は、この通知メッセージを受信することができない。従って、予期しない通知メッセージを全て受信するためには、端末は、常にこのブロードキャストサービスに接続されていなければならない非効率性が存在するという問題がある。
【発明の概要】
【発明が解決しようとする課題】
【００１２】
本発明は、上記従来の問題点に鑑みてなされたものであり、その目的は、デジタルビデオブロードキャスト（ＤＶＢ）システムにおける通知メッセージを送受信する装置及び方法を提供することにある。
【００１３】
本発明の目的は、ＤＶＢシステムにおける通知メッセージを伝達するためのシグナリング情報を生成し、通信チャネルを介してこのシグナリング情報を送受信する装置及び方法を提供することにある。
【００１４】
本発明の他の目的は、ＤＶＢシステムにおけるブロードキャストチャネルを介した通知メッセージだけでなくインタラクティブネットワークを介した通知メッセージを送受信する装置及び方法を提供することにある。
【００１５】
本発明の更に他の目的は、ＤＶＢシステムにおけるインタラクティブネットワークを介して通知メッセージを効率的に送受信する装置及び方法を提供することにある。
【課題を解決するための手段】
【００１６】
上記目的を達成するために、本発明の一態様によれば、デジタルビデオブロードキャスト（ＤＶＢ）システムにおける端末が通知メッセージを受信する方法を提供する。上記方法は、電子サービスガイド（ＥＳＧ）ブートストラップセッションからアクセスポイント（ＡＰ）を検出するステップと、通信チャネルを介して通知メッセージリスト又は通知メッセージの全体又は一部を要請するために上記アクセスポイントをクエリーするステップと、上記通知メッセージリスト又は上記通知メッセージの全体又は一部を上記アクセスポイントから受信するステップと、を有する。
【００１７】
本発明の他の態様によれば、デジタルビデオブロードキャスト（ＤＶＢ）システムにおけるサーバが通知メッセージを送信する方法を提供する。上記方法は、アクセスポイント（ＡＰ）に関する情報を含む電子サービスガイド（ＥＳＧ）ブートストラップセッションを端末に送信するステップと、通知メッセージリスト又は通知メッセージの全体又は一部の送信を要請するクエリーを通信チャネルを介して上記端末から受信するステップと、上記通知メッセージリスト又は上記通知メッセージの全体又は一部を上記端末に送信するステップと、を有する。
【００１８】
本発明の更に他の態様によれば、デジタルビデオブロードキャスト（ＤＶＢ）システムにおける通知メッセージを送受信するシステムを提供する。上記システムは、アクセスポイント（ＡＰ）に関する情報を含む電子サービスガイド（ＥＳＧ）ブートストラップセッションを端末に送信し、通知メッセージリスト又は通知メッセージの全体又は一部を要請するクエリーを前記端末から受信するサーバと、上記クエリーした通知メッセージリスト又は上記通知メッセージの全体又は一部を上記アクセスポイントから受信する上記端末と、上記クエリー及び上記クエリーした通知メッセージリスト又は上記通知メッセージの全体又は一部を通信チャネル及びブロードキャストチャネルの中の１つを介して送受信するネットワークと、を備える。
【発明の効果】
【００１９】
本発明は、通信チャネルを介した通知メッセージの送信を定義し、インタラクティブチャネルを介して通知メッセージを受信するためのメカニズム及び方案を提供する。この通知メッセージを、通信チャネルを介して送信するため、端末は、全ての通知メッセージの受信に成功する機会が増加する。
【００２０】
特に、本発明は、送信時間が予め定められていない通知メッセージ及び通知サービスの特性のために端末がサーバからの通知メッセージの受信に成功したことを保証することができない従来の問題点を解決することができる長所を有する。即ち、端末がデリバリーリスト（ＤｅｌｉｖｅｒｙＬｉｓｔ）を要請し、これを受信するため、通知メッセージのリストを確認することができる。従って、端末は、どんな場合でも全ての通知メッセージの受信に成功することができる。
【図面の簡単な説明】
【００２１】
【図１】本発明の一実施形態によるＤＶＢシステムにおける端末が通知メッセージを受信する制御動作を示すフローチャートである。
【図２】本発明の一実施形態によるＤＶＢシステムにおける送信部が通知メッセージを送信する制御動作を示すフローチャートである。
【図３】本発明の一実施形態によるＤＶＢシステムの構成を示すブロック図である。
【発明を実施するための形態】
【００２２】
本発明の他の目的、利点、及び顕著な特徴は、添付の図面及び本発明の実施形態からなされた以下の詳細な説明から、この分野の当業者に明確になるはずである。
【００２３】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、唯一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００２４】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００２５】
英文明細書に記載の“ａ”、“ａｎ”、及び“ｔｈｅ”、即ち、単数形は、文脈中に特に明示しない限り、複数形を含むことは、当業者には理解される。従って、例えば、“コンポーネント表面（ａ  ｃｏｍｐｏｎｅｎｔ  ｓｕｒｆａｃｅ）”との記載は、１つ又は複数の表面を含む。
【００２６】
本発明の例示的な実施形態は、非同期移動通信標準である第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）基盤のシステム又はデジタルビデオブロードキャスト（ＤＶＢ）システムに関連して説明するが、本発明の実施形態の理解を助けるために単に提供するものである。従って、このような標準、システム、及び名称が本発明の範囲を限定するのではなく、類似した技術的背景を有する他の標準又はシステムにも適用することができることは勿論である。
【００２７】
本発明の実施形態は、ＤＶＢシステムにおいてブロードキャストチャネルを介してだけでなく、インタラクティブネットワークのような通信チャネルを介して通知メッセージを送信する方法及び手順を提供する。また、本発明の実施形態は、端末がブロードキャストチャネル又はインタラクティブチャネルを介して通知メッセージを受信する方法及び手順を提供する。
【００２８】
ＤＶＢシステムは、ブロードキャストを受信することができる端末のサービスの発見、端末のサービスへの加入、サービスを受信するための様々な制御情報の提供、サービス送信、及び端末でのサービス受信の中の少なくとも１つを使用する。
【００２９】
サービス受信のために、端末は、ブロードキャストサービスに関する情報を運搬する通知メッセージを受信する。通知メッセージは、デフォルト通知メッセージ及び特定のサービスに対応するサービス関連通知（Ｓｅｒｖｉｃｅ−Ｒｅｌａｔｅｄ  Ｎｏｔｉｆｉｃａｔｉｏｎ：以下、“ＳＲＮ”と称する。）である。
【００３０】
一方、端末は、サービス受信の開始のために電子サービスガイド（ＥＳＧ）を受信する。ここで、ＥＳＧ情報の中の幾つかの情報は、いつでも変化することができ、ＥＳＧに変化が発生する度に、ＥＳＧは、端末に送信されなければならない。また、ブロードキャストサービスの特性に伴う新たな端末の登場を考慮すると、ＥＳＧは、ＥＳＧ内の変動がないとしても反復して送信される。
【００３１】
従って、本発明の実施形態は、デフォルト通知メッセージについて、通信チャネルを介してこのデフォルト通知メッセージを受信することができるアクセスポイント（ＡＰ）を示す。ここで、このデフォルト通知メッセージは、ネットワークデフォルト通知（Ｎｅｔｗｏｒｋ  Ｄｅｆａｕｌｔ  Ｎｏｔｉｆｉｃａｔｉｏｎ：以下、“ＮＤＮ”と称する。）メッセージ、ＥＳＧデフォルト通知（ＥＳＧ  Ｄｅｆａｕｌｔ  Ｎｏｔｉｆｉｃａｔｉｏｎ：以下、“ＥＤＮ”と称する。）、又はプラットホームデフォルト通知（Ｐｌａｔｆｏｒｍ  Ｄｅｆａｕｌｔ  Ｎｏｔｉｆｉｃａｔｉｏｎ：以下、“ＰＤＮ”と称する。）であり得、これは、全ての端末が対応するネットワーク又はプロバイダーへの別途の加入手順なしに受信するメッセージである。
【００３２】
本発明の実施形態で、ＤＶＢシステムにおいて、ＡＰに関する情報は、ＥＳＧブートストラッピングセッションに付加される。＜表１＞〜＜表６＞に定義されるように、本発明の第１の実施形態及び第２の実施形態でＡＰ情報付加を例示する。
【００３３】
一方、端末が特定のサービスへの加入及び購入を実行した後に、ＥＳＧデータモデルのＳＲＮを受信する。ＥＳＧデータモデルがインタラクティブＡＰを介して送信されるため、インタラクティブネットワークを介してＳＲＮを送信するためのＡＰを決定することができる。従って、本発明の実施形態は、ＳＲＮの場合、ＡＰ情報を付加する方案を提供しない。
【００３４】
本発明の実施形態において、端末がこのインタラクティブネットワークのデフォルト通知メッセージ又はＳＲＮからＡＰに関する情報を取得した後、端末は、次のように作動することができる。
【００３５】
端末は、本発明の実施形態の通知デリバリーリスト（以下、“ＤｅｌｉｖｅｒｙＬｉｓｔ”と称する。）を要請するか、インタラクティブチャネルを介してデフォルト通知メッセージの送信を要請するか、又は通知メッセージの一部を要請する。
【００３６】
端末がブロードキャストチャネルを介してデフォルト通知メッセージを送信するＡＰに関する情報だけを受信するため、端末は、このデフォルト通知メッセージの受信に成功するか否かを確認することができない。従って、端末は、ＤｅｌｉｖｅｒｙＬｉｓｔを要請し、サーバが所定の期間の間に端末に送信したか又は送信するデフォルト通知メッセージのリストを取得することにより受信できないか又はエラーが発生した通知メッセージを通信チャネル、即ち、インタラクティブネットワークを介して再要請することができる。
【００３７】
また、ＤｅｌｉｖｅｒｙＬｉｓｔは、ＳＲＮの場合にも拡張することができる。基本的に、端末がＥＳＧで定義した通知メッセージＡＰ情報に基づいて受信されるＳＲＮを決定することができるが、対応するＳＲＮの特性の観点で予めＳＲＮの送信時点を認識することができない場合があり得る。このような場合、端末は、複数のＳＲＮに対してＤｅｌｉｖｅｒｙｌｉｓｔを要請し、Ｄｅｌｉｖｅｒｙｌｉｓｔ内のＳＲＮをチェックすることによりＳＲＮを正確に受信するか又はエラーが発生したＳＲＮを再要請することを確認する。
【００３８】
これに関連して、本発明の実施形態は、＜表７Ａ＞、＜表７Ｂ＞、及び＜表７Ｃ＞に示す情報を要請するための新たなハイパーテキスト転送プロトコル（ＨＴＴＰ）クエリーフォーマットを定義する。
【００３９】
また、端末は、クエリーをサーバに送信した後、サーバから要請した通知メッセージの全体又は一部を受信するか、又はＤｅｌｉｖｅｒｙＬｉｓｔを受信する。＜表８Ａ＞〜＜表９＞は、本発明で提案するＤｅｌｉｖｅｒｙＬｉｓｔの拡張可能マークアップ言語（ＸＭＬ）シンタックス及びセマンティックスを示す。
【００４０】
＜＜ＡＰの定義＞＞
先ず、本発明によるＥＳＧブートストラップセッションにＡＰ情報を付加する第１の実施形態について詳細に説明する。
【００４１】
＜表１＞及び＜表４＞は、ＥＳＧブートストラップセッションでブロードキャスト通知メッセージの中でデフォルト通知メッセージを受信することができるＡＰを示すためのディスクリプタのＸＭＬシンタックス及びセマンティックスをリストする。ＡＰは、本発明の実施形態で付加されるＰＤＮＩＡＥｎｔｒｙ（）及びＥＤＮＩＡ  Ｅｎｔｒｙ（）で示される。
【００４２】
ＰＤＮＩＡＥｎｔｒｙ（）及びＥＤＮＩＡ  Ｅｎｔｒｙ（）のシンタックスは、＜表２Ａ＞、＜表２Ｂ＞、及び＜表２Ｃ＞、並びに＜表３Ａ＞、＜表３Ｂ＞、及び＜表３Ｃ＞にそれぞれ示し、ＰＤＮＩＡＥｎｔｒｙ（）及びＥＤＮＩＡ  Ｅｎｔｒｙ（）のシンタックスは、＜表５＞に示す。
【００４３】
＜表２Ａ＞及び＜表２Ｂ＞は、ＰＤＮＩＡＥｎｔｒｙ（）のシンタックスの２種類の例を定義する。これらの差異は、サーバでのインタラクティブ送信モードによる情報を端末に知らせる“ＩＡｍｏｄｅ”値を追加したか否かにある。
【００４４】
また、＜表３Ａ＞及び＜表３Ｂ＞は、付加の“ＩＡｍｏｄｅ”値を有するか否かに従ってＥＤＮＩＡＥｎｔｒｙ（）の２種類の例を定義する。
【００４５】
＜表１＞において、ＰＤＮＥｎｔｒｙ（）及びＥＤＮＥｎｔｒｙ（）の情報は、デフォルト通知メッセージをブロードキャストするサーバのＡＰのＩＰアドレスを提供する。他方、＜表２Ａ＞〜＜表３Ｂ＞において、ＰＤＮＥｎｔｒｙ（）及びＥＤＮＥｎｔｒｙ（）の情報は、インタラクティブサーバのＡＰのＵＲＩを提供する。
【００４６】
２種類のモードは、インタラクティブ送信に使用可能である。ＰＵＳＨモードにおいて、サーバは、情報を特定の端末に送信し、他方、ＰＵＬＬモードにおいて、端末は、情報をサーバに要請し、この情報をサーバから受信する。本発明の実施形態によるインタラクティブサーバのＡＰは、サーバの特徴によって２種類のモードを実行することができる。
【００４７】
サーバがサポートするモードを端末に知らせるために、サーバは、‘ＩＡｍｏｄｅ’情報を端末に送信する。‘ＩＡｍｏｄｅ’が“ＰＵＳＨ”である場合、端末は、ＰＵＳＨサーバからＡＰのアドレスを認識することができ、従って、対応するサーバからプッシュされる信号を信頼することができる。他方、‘ＩＡｍｏｄｅ’が“ＰＵＬＬ”である場合、端末は、クエリーを行うことができるサーバのＵＲＬでＡＰを認識することができる。必要であれば、端末は、ＡＰへのクエリーを行う。これについては、＜表５＞を参照する。
【００４８】
一方、上述した本発明の実施形態と比較すると、＜表２Ｃ＞及び＜表３Ｃ＞では、‘Ｐｕｒｃｈａｓｅ＿ｉｔｅｍ＿ＩＤ’情報が送信され、これにより、デフォルト通知メッセージがインタラクティブネットワークに送信される際に、サービスプロバイダーがこのデフォルト通知メッセージに対して課金することができる。
【００４９】
即ち、加入なしにブロードキャストネットワークを介して送信されるデフォルト通知メッセージの他に、インタラクティブネットワークを介して送信される通知メッセージは、加入及び購入手順を要請することができる。この場合に、この購入手順は、各購入アイテム別に‘Ｐｕｒｃｈａｓｅ＿ｉｔｅｍ＿ＩＤ’を識別することによりなされる。従って、‘Ｐｕｒｃｈａｓｅ＿ｉｔｅｍ＿ＩＤ’は、この機能を実行することができるようにするために、各デフォルト通知メッセージエントリー別に割り当てられる。‘Ｐｕｒｃｈａｓｅ＿ｉｔｅｍ＿ＩＤ’は、全てのデフォルト通知メッセージに対して特定することができる。
【００５０】
上述した本発明の実施形態は、主な情報を中心にして具体化される。この実施形態で説明したシンタックスは、組み合わせて使用することができる。即ち、基本的なデフォルトメッセージエントリー情報の他に、‘ＩＡｍｏｄｅ’及び‘Ｐｕｒｃｈａｓｅ＿ｉｔｅｍ＿ＩＤ’を共に使用することができる。
【００５１】
【表１】
2011515890.tif 000003
2011515890.tif 000004
【００５２】
【表２Ａ】
2011515890.tif 000005
【００５３】
【表２Ｂ】
2011515890.tif 000006
【００５４】
【表２Ｃ】
2011515890.tif 000007
【００５５】
【表３Ａ】
2011515890.tif 000008
【００５６】
【表３Ｂ】
2011515890.tif 000009
【００５７】
【表３Ｃ】
2011515890.tif 000010
【００５８】
【表４】
2011515890.tif 000011
【００５９】
【表５】
2011515890.tif 000012
【００６０】
＜第２の実施形態＞
＜表６＞は、ＥＳＧブートストラップセッションにＡＰ情報を付加する本発明の第２の実施形態を示す。
【００６１】
本発明の第２の実施形態における各情報の定義は、上述した第１の実施形態で説明した定義と同様である。より具体的に説明すると、ＰＤＮＩＡＥｎｔｒｙ（）及びＥＤＮＩＡＥｎｔｒｙ［ｉ］（）は、本発明の第１の実施形態においてデフォルト通知アクセスディスクリプタ（ＤｅｆａｕｌｔＮｏｔｉｆｉｃａｔｉｏｎＡｃｃｅｓｓＤｅｓｃｒｉｐｔｏｒｓ）内に定義し、他方、デフォルト通知ＩＡアクセスディスクリプタ（ＤｅｆａｕｌｔＮｏｔｉｆｉｃａｔｉｏｎＩＡＡｃｃｅｓｓＤｅｓｃｒｉｐｔｏｒｓ）は、本発明の第２の実施形態において定義する。
【００６２】
【表６】
2011515890.tif 000013
【００６３】
＜＜ＨＴＴＰクエリーフォーマットの定義＞＞
＜表７Ａ＞〜＜表７Ｃ＞は、本発明の例示的な実施形態で提案した通知メッセージクエリーフォーマットを示すもので、その応用に従って＜表７Ａ＞、＜表７Ｂ＞、及び＜表７Ｃ＞としてそれぞれ定義する。ＨＴＴＰ／１．１  ＰＯＳＴがプロトコルとして使用されると仮定すると、本発明の実施形態は、‘Ｋｅｙ’値、‘Ｋｅｙ’値の‘Ｖａｌｕｅ’値、及びそれらのセマンティックスを定義する。複数のｋｅｙ値は、同時に使用することができ、端末の要請に従って選択的に使用することができる。
【００６４】
＜表７Ａ＞、＜表７Ｂ＞、及び＜表７Ｃ＞に示すように、端末が“ｔｙｐｅ＝ＮｏｔｉｆｉｃａｔｉｏｎＤｅｌｉｖｅｒｙＬｉｓｔ”を要請する場合、通知メッセージタイプ“ＮｏｔｉＴｙｐｅ＝ＥＤＮ”を設定するか、又は“ＳｔａｒｔＤｅｌｉｖｅｒｙ”及び“ＳｔｏｐＤｅｌｉｖｅｒｙ”を設定することにより所定の期間の間に送信された通知メッセージのＤｅｌｉｖｅｒｙＬｉｓｔを要請することができる。
【００６５】
端末は、“ｔｙｐｅ＝ＮｏｔｉｆｉｃａｔｉｏｎＭｅｓｓａｇｅ”を要請する場合、ＭｅｓｓａｇｅＩＤを設定するか又はＣｏｎｔｅｎｔ−ＩＤ及びＣｏｎｔｅｎｔ−Ｐｏｓｉｔｉｏｎ値を用いてＭｅｓｓａｇｅＩＤを有する通知メッセージの一部を示すことにより、既に受信した通知メッセージの中でエラーが発生した一部の再送信又は通知メッセージの送信を要請することができる。
【００６６】
また、端末が“ｔｙｐｅ＝ＮｏｔｉｆｉｃａｔｉｏｎＩｎｉｔＣｏｎｔａｉｎｅｒ”を要請する場合、サーバは、端末がＩｎｉｔＣｏｎｔａｉｎｅｒを受けることができるアドレス値を送信するか、又はＩｎｉｔＣｏｎｔａｉｎｅｒを直接端末に送信することができる。
【００６７】
更に、“ｔｙｐｅ＝ＤｅｆａｕｌｔＮｏｔｉｆｉｃａｔｉｏｎ”である場合、これは、ブロードキャストネットワークを介して送信される全てのデフォルト通知メッセージがインタラクティブネットワークを介して送信されなければならないことを端末が要請するクエリーフォーマットである。
【００６８】
【表７Ａ】
2011515890.tif 000014
【００６９】
＜表７Ｂ＞は、通知メッセージの一部を受信するための情報、即ち、Ｃｏｎｔｅｎｔ−ＩＤ、Ｃｏｎｔｅｎｔ−Ｐｏｓｉｔｉｏｎ、Ｃｏｎｔｅｎｔ−Ｔｙｐｅ、及びＣｏｎｔｅｎｔ−Ｔｒａｎｓｆｅｒ−Ｅｎｃｏｄｉｎｇ情報を除外した本発明の一実施形態を示す。端末が通知メッセージの一部でない通知メッセージの全体だけを要請する場合、＜表７Ａ＞に示すクエリーフォーマットを使用しないことを示す実施形態である。
【００７０】
【表７Ｂ】
2011515890.tif 000015
【００７１】
＜表７Ｃ＞は、サービス関連通知（ＳＲＮ）及び通知サービス（ＮＳ）の付加及びＳｅｒｖｉｃｅＩＤの付加を除外しては＜表７Ａ＞と同様である。
【００７２】
即ち、＜表７Ｃ＞は、端末がデフォルト通知メッセージだけでなく、ＳＲＮ及びＮＳの場合にもＤｅｌｉｖｅｒｙＬｉｓｔ又は通知メッセージを要請することができるように拡張したものである。ＮＳは、一般サービスと同様にＳｅｒｖｉｃｅＩＤを有する。この場合、クエリーフォーマットは、ＭｅｓｓａｇｅＩＤの代りにＳｅｒｖｉｃｅＩＤを付加することにより定義することができる。
【００７３】
【表７Ｃ】
2011515890.tif 000016
【００７４】
具体的に図示しなかったが、＜表７Ａ＞、＜表７Ｂ＞、及び＜表７Ｃ＞に示した複数のクエリーフォーマットは、組み合わせて使用することができる。
【００７５】
＜＜ＤｅｌｉｖｅｒｙＬｉｓｔの定義＞＞
＜表８Ａ＞〜＜表８Ｅ＞は、本発明で提案したＤｅｌｉｖｅｒｙＬｉｓｔのＸＭＬシンタックスを説明する。＜表９＞は、＜表８Ａ＞〜＜表８Ｅ＞に示すＤｅｌｉｖｅｒｙＬｉｓｔのセマンティックスを説明する。
【００７６】
＜表８Ａ＞は、インタラクティブネットワークを介して送信された通知メッセージに対するＤｅｌｉｖｅｒｙＬｉｓｔを示し、＜表８Ｂ＞は、ブロードキャストネットワークまで拡張したＤｅｌｉｖｅｒｙＬｉｓｔを定義する。また、＜表８Ｃ＞は、ＳｕｂＬｉｓｔを使用しない本発明の一実施形態を説明する。ＳｕｂＬｉｓｔは、ＤｅｌｉｖｅｒｙＬｉｓｔのサイズがあまりにも大きい場合、ＤｅｌｉｖｅｒｙＬｉｓｔを複数のセグメントに分けて送信する方式である。＜表８Ｃ＞は、インタラクティブネットワークを介して送信される通知メッセージのＤｅｌｉｖｅｒｙＬｉｓｔを示すが、ＳｕｂＬｉｓｔを使用しない形態のブロードキャストネットワークまで拡張したＤｅｌｉｖｅｒｙＬｉｓｔにも適用することができる。
【００７７】
＜表８Ｄ＞は、ＤｅｌｉｖｅｒｙＬｉｓｔのバージョン及び満了関連属性を使用しない本発明の一実施形態を示す。ＤｅｌｉｖｅｒｙＬｉｓｔが、ユーザが設定した時間に送信されたか又は送信される通知メッセージのリスト情報であるため、ＤｅｌｉｖｅｒｙＬｉｓｔのバージョンに関する情報が必要でない場合があり得る。＜表８Ｄ＞のシンタックスを見ると、‘ｌａｓｔｕｐｄａｔｅｄ’、‘ｅｘｐｉｒａｔｉｏｎＤａｔｅ’、及び‘ｅｘｐｉｒａｔｉｏｎＷｉｎｄｏｗ’の属性を送信しないことがわかる。
【００７８】
＜表８Ｅ＞は、端末が要請した通知メッセージに関する情報として価格及び購入情報を通知する場合の一実施形態を示す。価格情報とは別に、他の情報は、＜表８Ｄ＞に基づく。しかし、＜表８Ｅ＞は、ＤｅｌｉｖｅｒｙＬｉｓｔの実施形態にも適用することができる。これは、ブロードキャストデフォルト通知メッセージが加入及び購入を要請しないことがあっても、これをインタラクティブチャネル、即ち、通信チャネルを介して送信する場合には、加入及び購入を要請する場合が発生し得るためである。
【００７９】
【表８Ａ】
2011515890.tif 000017
【００８０】
【表８Ｂ】
2011515890.tif 000018
【００８１】
【表８Ｃ】
2011515890.tif 000019
【００８２】
【表８Ｄ】
2011515890.tif 000020
【００８３】
【表８Ｅ】
2011515890.tif 000021
【００８４】
【表９】
2011515890.tif 000022
2011515890.tif 000023
【００８５】
図１は、本発明の一実施形態によるＤＶＢシステムにおける端末が通信チャネルを介して通知メッセージを受信する制御動作を示すフローチャートである。
【００８６】
図１を参照すると、端末は、ステップ１０１で、ブロードキャストサービスに接続することによりＥＳＧブートストラップセッションにアクセスし、ステップ１０３で、ＥＳＧブートストラップセッションからデフォルト通知メッセージを送信するためのＡＰをチェックする。ここで、ＥＳＧブートストラップセッションは、ＥＳＧプロバイダーディスクリプタ及びＥＳＧアクセスディスクリプタで構成される。ＥＳＧプロバイダーディスクリプタは、ＥＳＧプロバイダーのＩＤ、名称、及びロゴを含む。ＥＳＧアクセスディスクリプタは、ＥＳＧのアナウンスメントセッションに関するチャネル情報及びＥＳＧを運搬するＩＰセッションの個数及びアドレスを含む。
【００８７】
ステップ１０５で、端末は、ＥＳＧブートストラップセッションの情報を用いて１つのＥＳＧを選択し、対応するＥＳＧのアナウンスメントカルーセルにアクセスすることにより対応するＥＳＧに関する情報を取得した後に、ＥＳＧデータモデルを受信する。ここで、端末は、ＥＳＧのアナウンスメントカルーセルを介してファイル形態で繰り返し送信されるＥＳＧの中で１つのＥＳＧデータモデルを受信する。
【００８８】
ステップ１０７で、端末は、この受信したＥＳＧデータモデルでＳＲＮを送信するためのＡＰを検出し、ユーザの選択に従ってＳＲＮを購入する。このデータモデルを受信する前に、端末は、デフォルト通知メッセージを受信することもある。この場合、端末は、＜表１＞〜＜表６＞に示すようにＡＰに関する付加された情報を有する通知メッセージを受信する。
【００８９】
この後、端末は、ステップ１０９で、ＨＴＴＰ要請クエリーによりＤｅｌｉｖｅｒｙＬｉｓｔを要請するか、又は、ステップ１１１で、既知の通知メッセージに関する情報に基づいて通知メッセージの全体又は一部を要請する。この場合、端末は、＜表７Ａ＞、＜表７Ｂ＞、及び＜表７Ｃ＞の中の１つに示したクエリーフォーマットを用いて通知メッセージの送信を要請する。
【００９０】
端末は、ステップ１１３で、ＤｅｌｉｖｅｒｙＬｉｓｔを受信し、ステップ１１５で、ＤｅｌｉｖｅｒｙＬｉｓｔの情報に基づいて必要な通知メッセージを要請し、ステップ１１７で、この要請した通知メッセージを受信する。特に、端末は、ステップ１１５で、通知メッセージの全体又は一部を要請することができ、ステップ１１７で、この通知メッセージの全体又は一部を受信することができる。この場合、この通知は、＜表８Ａ＞〜＜表８Ｅ＞及び＜表９＞の中の１つに示した構成を有する。
【００９１】
図２は、本発明の一実施形態によるＤＶＢシステムにおける送信部が通信チャネルを介して通知メッセージを送信する制御動作を示すフローチャートである。
【００９２】
図２を参照すると、ステップ２０１及びステップ２０３で、サーバは、ＥＳＧブートストラップセッション及びＥＳＧデータモデルのＦＬＵＴＥ（Ｆｉｌｅ  Ｄｅｌｉｖｅｒ  ｏｖｅｒ  Ｕｎｉｄｉｒｅｃｔｉｏｎａｌ  Ｔｒａｎｓｐｏｒｔ）セッションを開け、ステップ２０１及びステップ２０３で、ＥＳＧを端末に提供する。即ち、ＥＳＧブートストラップセッション及びＥＳＧデータモデルのファイル形態の送信は、サーバから端末への片方向トランスポート方式でなされる。
【００９３】
サーバは、ステップ２０５で、ＨＴＴＰ要請クエリーを受信し、ステップ２０７で、ＤｅｌｉｖｅｒｙＬｉｓｔ又は通知メッセージの全体又は一部を端末に送信する。
【００９４】
図３は、本発明の一実施形態によるＤＶＢシステムにおける通信チャネルを介して通知メッセージを送受信するシステムの構成を示すブロック図である。
【００９５】
図３を参照すると、サーバ３１０は、通知メッセージ生成部３１１、ＥＳＧ生成部３１３、ＤｅｌｉｖｅｒｙＬｉｓｔ又は通知メッセージ送信部３１５、ＥＳＧ送信部３１７、及びクエリー受信部３１９を含む。
【００９６】
通知メッセージ生成部３１１は、通知メッセージを生成し、これを通知メッセージ送信部３１５に提供する。通知メッセージ送信部３１５は、この通知メッセージを送信するためのＡＰに関する情報をＥＳＧ生成部３１３に提供することにより、ＥＳＧ送信部３１７がＡＰ情報を端末３３０に送信することができる。また、通知メッセージ送信部３１５は、ＤｅｌｉｖｅｒｙＬｉｓｔを端末３３０に送信する。即ち、通知メッセージ送信部３１５は、クエリー受信部３１９を介して受信した要請クエリーを分析し、要請したＤｅｌｉｖｅｒｙＬｉｓｔ又は通知メッセージを端末３３０に送信する。ＤｅｌｉｖｅｒｙＬｉｓｔ又は通知メッセージを送信するネットワーク３２０は、ＤＶＢ−Ｈブロードキャストネットワーク又はインタラクティブネットワークである。
【００９７】
本発明の一実施形態によると、端末３３０は、通知メッセージ受信部３３１、ＥＳＧ受信部３３３、クエリー要請送信部３３５、通知メッセージ解釈部３３７、及びＥＳＧ解釈部３３９を含む。
【００９８】
通知メッセージ受信部３３１は、通知メッセージをサーバ３１０から受信し、この通知メッセージを通知メッセージ解釈部３３７に送信する。この際、この通知メッセージがエラーを有する場合、通知メッセージ受信部３３１は、このエラーの発生をクエリー要請送信部３３５に通知することにより、クエリー要請送信部３３５が対応する通知メッセージをサーバ３１０に直接要請するようにする。また、端末３３０は、ＥＳＧ受信部３３３及びＥＳＧ解釈部３３９を介して通知メッセージに関するＡＰ情報を取得し、必要であれば、ＤｅｌｉｖｅｒｙＬｉｓｔ及び通知メッセージの一部又は全体をサーバ３１０に要請する。
【００９９】
本発明の実施形態は、コンピュータ読み取り可能な記録媒体上でコンピュータ読み取り可能なコードとして実現することもできる。コンピュータ読み取り可能な記録媒体は、コンピュータシステムにより読み出すことができるデータを記憶することができる任意のデータ記憶装置である。コンピュータ読み取り可能な記録媒体の例としては、読出し専用メモリ（ＲＯＭ）、ランダムアクセスメモリ（ＲＡＭ）、ＣＤ−ＲＯＭ、磁気テープ、フロッピー（登録商標）ディスク、光学データ記憶装置、及び搬送波（有線又は無線送信経路上のインターネットを介したデータ送信のような）が含まれるが、これらに限定されるものではない。また、上記コンピュータ読み取り可能な記録媒体は、コンピュータ読み取り可能なコードが配布される方式で記憶されて実行されるように、ネットワーク結合型コンピュータシステムを介して配布することができる。更に、本発明を遂行するための関数プログラム、コード及びコードセグメントは、本発明が属する技術分野で熟練したプログラマーにより本発明の範囲内で容易に解析することができるであろう。
【０１００】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１０１】
３１０    サーバ
３１１    通知メッセージ生成部
３１３    ＥＳＧ生成部
３１５    通知メッセージ送信部
３１７    ＥＳＧ送信部
３１９    クエリー受信部
３２０    ネットワーク
３３０    端末
３３１    通知メッセージ受信部
３３３    ＥＳＧ受信部
３３５    クエリー要請送信部
３３７    通知メッセージ解釈部
３３９    ＥＳＧ解釈部
【図１】
2011515890.tif 000024
【図２】
2011515890.tif 000025
【図３】
2011515890.tif 000026
【国際調査報告】
2011515890.tif 000027
2011515890.tif 000028